【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
モバイルコンピューティングデバイスにおいて第三者コンテンツを提供するコンピュータ実施方法であって、
第1の時間に、第1のインターネットプロトコル(IP)アドレスに関連して前記モバイルコンピューティングデバイスのデバイス識別子を受信するステップであって、前記第1のIPアドレスが、前記モバイルコンピューティングデバイスが接続される第1のネットワークに対応する、ステップと、
前記モバイルコンピューティングデバイスの第1の位置を前記第1のIPアドレスに基づき判定するステップであって、前記第1の位置が前記第1のネットワークと関連付けられる、ステップと、
前記デバイス識別子を前記第1の位置および前記第1の時間と関連付けるステップと、
前記第1のネットワークとは異なる第2のネットワークに接続される前記モバイルコンピューティングデバイスを用いて、第2の時間においてコンテンツ要求を前記モバイルコンピューティングデバイスから受信するステップと、
前記デバイス識別子を前記第1の位置および前記第1の時間と関連付けることに基づいて、前記コンテンツ要求の受信から定められた時間的近接度内に、前記モバイルコンピューティングデバイスが前記第1のネットワークに接続されたことを判定するステップと、
前記コンテンツ要求の受信から前記定められた時間的近接度内に、前記モバイルコンピューティングデバイスが前記第1のネットワークに接続されたとの判定に基づいて、前記モバイルコンピューティングデバイスから受信された前記コンテンツ要求を、前記第2の時間の前記第１の位置に関連付けるステップと、
前記コンテンツ要求を前記第2の時間の前記第1の位置に関連付けることに基づいて、少なくとも前記第1の位置に基づき1または2以上のコンテンツアイテムを選択するステップと、
前記1または2以上のコンテンツアイテムを前記モバイルコンピューティングデバイスに提供するステップとを含む、方法。
【請求項２】
前記第1の時間が、第1の時間フレームを含む、請求項1に記載の方法。
【請求項３】
前記デバイス識別子が、ハッシュ化されたデバイス識別子を含む、請求項1に記載の方法。
【請求項４】
前記コンテンツ要求が、第三者コンテンツアイテムについての要求を含む、請求項1に記載の方法。
【請求項５】
少なくとも前記第1の位置に基づき1または2以上のコンテンツアイテムを選択するステップが、前記第1の位置に関係する提示のために構成される1または2以上のコンテンツアイテムを選択するステップを含む、請求項1に記載の方法。
【請求項６】
1または2以上のコンテンツアイテムが、第1の位置に関係する製品またはサービスに関連づけられる1または2以上の第三者コンテンツアイテムを含む、請求項1に記載の方法。
【請求項７】
前記第1のネットワークがWiFiネットワークを含み、前記第2のネットワークがセルラネットワークを含む、請求項1に記載の方法。
【請求項８】
前記第1の位置が郵便番号を含む、請求項1に記載の方法。
【請求項９】
特定の時間フレーム内で、前記第1のネットワークに対して定められた地理的近接度内のネットワークに前記モバイルコンピューティングデバイスが接続されなかったことの判定に基づき、前記デバイス識別子を前記第1の位置との関連付けから解除するステップをさらに含む、請求項1に記載の方法。
【請求項１０】
第3の時間に、第2のIPアドレスに関連して前記デバイス識別子を受信するステップであって、前記第2のIPアドレスは、前記モバイルコンピューティングデバイスが接続される第3のネットワークに対応し、前記第3のネットワークは、前記第1および第2のネットワークと異なる、ステップと、
前記第2のIPアドレスに基づいて、前記モバイルコンピューティングデバイスの第2の位置を判定するステップであって、前記第2の位置が前記第3のネットワークと関連付けられる、ステップと、
前記デバイス識別子を前記第2の位置および前記第3の時間と関連付けるステップとをさらに含み、
前記モバイルコンピューティングデバイスが前記第1のネットワークにも前記第2のネットワークにも接続されないときに、前記コンテンツ要求が前記モバイルコンピューティングデバイスから受信され、
前記モバイルコンピューティングデバイスが前記定められた時間的近接度内に前記第1のネットワークに接続されたことを判定するステップは、前記モバイルコンピューティングデバイスがコンテンツ要求の受信から定められた時間的近接度内に前記第1のネットワークおよび前記第2のネットワークに接続されたことを判定するステップを含み、
少なくとも前記第1の位置に基づき1または2以上のコンテンツアイテムを選択するステップが、（ａ）前記モバイルコンピューティングデバイスが前記定められた時間的近接度内に前記第1のネットワークに接続され、（ｂ）前記モバイルコンピューティングデバイスが前記コンテンツ要求の受信から前記定められた時間的近接度内に第2のネットワークに接続され、（ｃ）前記第2の時間が、前記第1の時間および前記第3の時間の少なくとも1つに対応するとの判定に基づき、前記第2の時間と、前記第1の時間および前記第3の時間の少なくとも1つとの間の対応に関連して、前記第1の位置および前記第2の位置の少なくとも1つに基づき、1または2以上のコンテンツアイテムを選択するステップをさらに含む、請求項1に記載の方法。
【請求項１１】
前記モバイルコンピューティングデバイスが前記定められた時間的近接度内に前記第1のネットワークに接続されなかったと判定する際に、前記モバイルコンピューティングデバイスの旅行中の状態に基づく1または2以上のコンテンツアイテムを選択するステップをさらに含む、請求項1に記載の方法。
【請求項１２】
動作を実行するためにコンピュータ可読媒体とやり取りするように構成される1または2以上のプロセッサを備えるシステムであって、前記動作が、
第1の時間に、第1のインターネットプロトコル(IP)アドレスに関連してモバイルコンピューティングデバイスのデバイス識別子を受信するステップであって、前記第1のIPアドレスが、前記モバイルコンピューティングデバイスが接続される第1のネットワークに対応する、ステップと、
前記モバイルコンピューティングデバイスの第1の位置を前記第1のIPアドレスに基づき判定するステップであって、前記第1の位置が前記第1のネットワークと関連付けられる、ステップと、
前記デバイス識別子を前記第1の位置および前記第1の時間と関連付けるステップと、
前記モバイルコンピューティングデバイスが前記第１のネットワークと異なる第2のネットワークに接続されるときに、第2の時間において前記モバイルコンピューティングデバイスからコンテンツ要求を受信するステップと、
前記デバイス識別子を前記第1の位置および前記第1の時間と関連付けることに基づいて、前記モバイルコンピューティングデバイスがコンテンツ要求の受信から定められた時間的近接度内に前記第1のネットワークに接続されたことを判定するステップと、
前記コンテンツ要求の受信から前記定められた時間的近接度内に、前記モバイルコンピューティングデバイスが前記第1のネットワークに接続されたとの判定に基づいて、前記モバイルコンピューティングデバイスから受信された前記コンテンツ要求を、前記第2の時間の前記第１の位置に関連付けるステップと、
前記コンテンツ要求を前記第2の時間の前記第1の位置に関連付けることに基づいて、少なくとも前記第1の位置に基づき1または2以上のコンテンツアイテムを選択するステップと、
前記1または2以上のコンテンツアイテムを前記モバイルコンピューティングデバイスに提供するステップとを含む、システム。
【請求項１３】
前記第1の時間が第1の時間フレームを含む、請求項12に記載のシステム。
【請求項１４】
前記デバイス識別子がハッシュ化されたデバイス識別子を含む、請求項12に記載のシステム。
【請求項１５】
前記コンテンツ要求が第三者コンテンツアイテムについての要求を含む、請求項12に記載のシステム。
【請求項１６】
少なくとも前記第1の位置に基づき1または2以上のコンテンツアイテムを選択するステップが、前記第1の位置に関係する提示のために構成される1または2以上のコンテンツアイテムを選択するステップを含む、請求項12に記載のシステム。
【請求項１７】
前記1または2以上のコンテンツアイテムが、前記第1の位置に関係する製品またはサービスに関連づけられる1または2以上の第三者コンテンツアイテムを含む、請求項12に記載のシステム。
【請求項１８】
前記第1のネットワークがWiFiネットワークを含み、前記第2のネットワークがセルラネットワークを含む、請求項12に記載のシステム。
【請求項１９】
前記第1の位置が郵便番号を含む、請求項12に記載のシステム。
【請求項２０】
前記動作は、特定の時間フレーム内で、前記第1のネットワークに対して定められた地理的近接度内のネットワークに前記モバイルコンピューティングデバイスが接続されなかったとの判定に基づき、前記デバイス識別子を前記第1の位置との関連付けから解除するステップを含む動作を実行するようにさらに構成される、請求項12に記載のシステム。
【請求項２１】
第3の時間に、第2のIPアドレスに関連して前記デバイス識別子を受信するステップであって、前記第2のIPアドレスは、前記モバイルコンピューティングデバイスが接続される第3のネットワークに対応し、前記第3のネットワークは、前記第1および第2のネットワークと異なる、ステップと、
前記第2のIPアドレスに基づいて、前記モバイルコンピューティングデバイスの第3の位置を判定するステップと、
前記デバイス識別子を第2の位置および前記第3の時間と関連付けるステップとを含む動作を実行するようにさらに構成され、
前記モバイルコンピューティングデバイスが前記第1のネットワークにも前記第2のネットワークにも接続されないときに、前記コンテンツ要求が前記モバイルコンピューティングデバイスから受信され、
前記モバイルコンピューティングデバイスがコンテンツ要求の受信から前記定められた時間的近接度内に前記第1のネットワークに接続されたことを判定するステップは、前記モバイルコンピューティングデバイスが、前記定められた時間的近接度内に前記第1のネットワークおよび前記第2のネットワークに接続されたことを判定するステップを含み、
少なくとも前記第1の位置に基づき1または2以上のコンテンツアイテムを選択するステップが、（ａ）前記モバイルコンピューティングデバイスが前記定められた時間的近接度内に前記第1のネットワークに接続され、（ｂ）前記モバイルコンピューティングデバイスが前記コンテンツ要求の受信から前記定められた時間的近接度内に第2のネットワークに接続され、（ｃ）前記第2の時間が前記第1の時間および前記第3の時間の少なくとも1つに対応するとの判定に基づき、前記第2の時間と、前記第1の時間および前記第3の時間の少なくとも1つとの間の対応に関連して、前記第1の位置および前記第2の位置の少なくとも1つに基づき、1または2以上のコンテンツアイテムを選択するステップを含む、請求項12に記載のシステム。
【請求項２２】
前記1または2以上のプロセッサは、前記モバイルコンピューティングデバイスが前記コンテンツ要求の受信から定められた時間的近接度内に前記第1のネットワークに接続されなかったと判定する際に、前記モバイルコンピューティングデバイスの旅行中の状態に基づく1または2以上のコンテンツアイテムを選択するようにさらに構成される、請求項12に記載のシステム。
【請求項２３】
コンピュータプログラムを用いてコード化されるコンピュータ記録媒体であって、前記プログラムが、データ処理装置により実行されるときに、前記データ処理装置に動作を実行させる命令を含み、前記動作が、
第1の時間に、第1のインターネットプロトコル(IP)アドレスに関連してモバイルコンピューティングデバイスのデバイス識別子を受信するステップであって、前記第1のIPアドレスが、前記モバイルコンピューティングデバイスが接続される第1のネットワークに対応する、ステップと、
前記モバイルコンピューティングデバイスの第1の位置を前記第1のIPアドレスに基づき判定するステップであって、前記第1の位置が前記第1のネットワークと関連付けられる、ステップと、
前記デバイス識別子を前記第1の位置および前記第1の時間と関連付けるステップと、
第2の時間に、第2のIPアドレスに関連してデバイス識別子を受信するステップであって、前記第2のIPアドレスは、前記モバイルコンピューティングデバイスが接続される第2のネットワークに対応する、ステップと、
前記モバイルコンピューティングデバイスの第2の位置を前記第2のIPアドレスに基づき判定するステップであって、前記第2の位置が前記第2のネットワークと関連付けられる、ステップと、
前記デバイス識別子を前記第2の位置および前記第2の時間と関連付けるステップと、
前記モバイルコンピューティングデバイスが前記第1のネットワークおよび第2のネットワークではない第3のネットワークに接続されるときに、第3の時間に、前記モバイルコンピューティングデバイスからコンテンツ要求を受信するステップと、
前記デバイス識別子を前記第１の位置および第１の時間に関連付けること、および前記デバイス識別子を前記第2の位置および前記第2の時間と関連付けることに基づき、前記モバイルコンピューティングデバイスが、前記コンテンツ要求の受信から定められた時間的近接度内に前記第1のネットワークおよび前記第2のネットワークに接続されたことを判定するステップと、
（ａ）前記モバイルコンピューティングデバイスが前記コンテンツ要求の受信から前記定められた時間的近接度内に前記第1のネットワークに接続され、（ｂ）前記モバイルコンピューティングデバイスが前記コンテンツ要求の受信から前記定められた時間的近接度内に第2のネットワークに接続され、（ｃ）前記第3の時間が前記第1の時間および前記第2の時間の少なくとも1つに対応するとの判定に基づき、前記第3の時間と前記第1の時間および前記第2の時間の少なくとも1つとの間の対応に関連して、前記第1の位置および前記第2の位置の少なくとも1つに基づき、1または2以上のコンテンツアイテムを選択するステップと、
前記1または2以上のコンテンツアイテムを前記モバイルコンピューティングデバイスに提供するステップとを含む、コンピュータ記録媒体。